(57)【要約】      （修正有）【課題】複数のレンズ情報の何れを測定しているのかを視覚的に容易に確認できるレンズ情報測定装置を提供すること。【解決手段】メガネに関連する複数のレンズ情報を測定する測定部（測定光学系）と、レンズ情報を表示させる表示手段（液晶表示器２）と、複数のレンズ情報を表示手段に同時に表示させる演算制御回路（２４）を備えている。演算制御回路（２４）は、複数のレンズ情報のうち、測定部（測定光学系）により測定しているいくつかのレンズ情報を測定部（測定光学系）により測定していないレンズ情報の色と異なる色で且つ同一色で表示させるようになっている。【選択図】図３
2006084341.tif 000002
【特許請求の範囲】
【請求項１】
メガネに関連する複数のレンズ情報を測定する測定部と、前記レンズ情報を表示させる表示手段と、前記複数のレンズ情報を前記表示手段に同時に表示させる演算制御回路を備えるレンズ情報測定装置において、
前記演算制御回路は、前記複数のレンズ情報のうち、前記測定部により測定しているいくつかの前記レンズ情報を前記測定部により測定していない前記レンズ情報の色と異なる色で且つ同一色で表示させることを特徴とするレンズ情報測定装置。
【請求項２】
前記演算制御回路は、前記測定部の測定光軸に対する被検レンズの光学中心の位置を示すターゲット像を測定している前記レンズ情報として前記表示手段に表示させると共に、前記被検レンズの屈折特性を前記測定している前記レンズ情報として前記表示手段に表示させることを特徴とする請求項１に記載のレンズ情報測定装置。
【発明の詳細な説明】
【技術分野】
【０００１】
この発明は、メガネに関連する複数のレンズ情報を測定して表示手段に同時に表示するようにしたレンズ情報測定装置に関するものである。
【背景技術】
【０００２】
従来のレンズメータとしては、測定光束を被検レンズに投影する投影光学系と、前記被検レンズを透過した測定光束を受光素子に導く受光光学系と、前記受光素子から出力される測定信号に基づいて前記被検レンズの屈折特性を求める演算制御回路と、前記屈折特性を表示させる液晶表示器（表示装置）を備えているものがある（例えば特許文献１参照）。
【特許文献１】特開平１１−１３２９０５号公報
【発明の開示】
【発明が解決しようとする課題】
【０００３】
このようなレンズメータにおいては、眼鏡（メガネ）の左右の眼鏡レンズの屈折特性を液晶表示器の左右の部分に同時に表示させるようにして、左右の屈折特性の測定の状態を一画面で確認できるようにすることが考えられる。この場合、左の眼鏡レンズの屈折特性（左レンズ情報）又は右の眼鏡レンズの屈折特性（右レンズ情報）の何れを測定しているのかを視覚的に容易に確認できるのが望ましい。このようなことは、レンズメータ以外にフレーム形状測定装置や自覚式検眼装置の表示装置でも同様なことが言える。
【０００４】
そこで、この発明は、複数のレンズ情報の何れを測定しているのかを視覚的に容易に確認できるレンズ情報測定装置を提供することを目的とするものである。
【課題を解決するための手段】
【０００５】
この目的を達成するため、この発明は、メガネに関連する複数のレンズ情報を測定する測定部と、前記レンズ情報を表示させる表示手段と、前記複数のレンズ情報を前記表示手段に同時に表示させる演算制御回路を備えるレンズ情報測定装置において、前記演算制御回路は、前記複数のレンズ情報のうち、前記測定部により測定しているいくつかの前記レンズ情報を前記測定部により測定していない前記レンズ情報の色と異なる色で且つ同一色で表示させるレンズ情報測定装置としたことを特徴とする。
【発明の効果】
【０００６】
この構成によれば、複数のレンズ情報の何れを測定しているのかを視覚的に容易に確認できる。
【発明を実施するための最良の形態】
【０００７】
以下、この発明の実施の形態を図面に基づいて説明する。
【０００８】
図１において、１はレンズメータの本体ケース、２は本体ケース１の正面上部に設けられた表示装置（表示手段）としての液晶表示器、３は本体ケース１の正面の上下方向の中間部に突設された上筐体部、４は本体ケース１の正面の下部に突設された下筐体部、５は下筐体部４上に設けられた円錐筒状で且つ頂部が裁断されたレンズ受である。このレンズ受５上にはメガネＭの被検レンズＬが載置される。
【０００９】
また、上筐体部３内には、図２に示したように測定光束をレンズ受５上の被検レンズＬに投影する投影光学系１０が設けられている。さらに、下筐体部４内には、エリアセンサである二次元のＣＣＤ（受光素子）１１と、被検レンズを透過する測定光束をＣＣＤ１１に導く受光光学系１２が設けられている。尚、投影光学系１０と受光光学系１２は被検レンズの屈折特性を測定する測定光学系Ｓを構成している。
【００１０】
この投影光学系１０は、光源である緑色ＬＥＤ１３，ピンホール１４ａが設けられたピンホール板１４及びコリメータレンズ１５をこの順に有する。また、受光光学系１２は、複数の円形透孔（例えば４つの円形透孔）が設けられたパターン板１６及び結像レンズ１８を有する。
【００１１】
更に、図２のＣＣＤ１１は図３に示したＣＣＤ駆動回路１９により駆動制御されるようになっている。しかも、ＣＣＤ駆動回路１９には、配線２０を介して電源回路２１から１８Ｖの電圧が供給されるようになっている。
【００１２】
また、電源回路（電源）２１から緑色ＬＥＤ１３には電源供給回路ＳＣを有する。この電源供給回路ＳＣは、配線２０に一端が接続された配線２０ａと、配線２０ａに一端が接続された抵抗Ｒと、この抵抗Ｒの他端に一端が接続された配線２２を有する。そして、この配線２２の他端には緑色ＬＥＤ１３のアノード側が接続されている。この緑色ＬＥＤ１３のカソード側はアースされている。尚、抵抗Ｒは抵抗値が６９８Ωに設定されている。
【００１３】
この緑色ＬＥＤ１３はスイッチング素子２３によりＯＮ・ＯＦＦされるようになっている。尚、スイッチング素子２３は、コレクタＣが配線２２に接続され、エミッタＥがアースされ、ベースＢが演算制御回路２４に接続されている。この演算制御回路２４は、ＣＣＤ駆動回路１９を制御するようになっている。
【００１４】
更に、上筐体部３と下筐体部４との間には、板面が上下左右に向けられていると共に左右に細長く延びるレンズテーブル２５が配設されている。このレンズテーブル２５は、本体ケース１に前後動可能に図示しないガイド部材で保持されている。また、本体ケース１の側部にはレバー２６が前後方向へ回動操作可能に取り付けられている。そして、レンズテーブル２５は、レバー２６の前後方向への回動操作により、前後動するように図示しない連動機構により連動させられている。この構造には周知の構成を採用できるのでその詳細な説明は省略する。
【００１５】
また、レンズテーブル２５の上縁部には左右動可能にスライド部材２７が取り付けられている。このスライド部材２７の左右への移動位置は、図示しないスライド抵抗又はポテンショメータ等の位置測定手段で測定されるようになっている。そして、この位置測定手段からの測定信号は演算制御回路２４に入力されるようになっている。しかも、このスライド部材２７には鼻当支持部材２８が上下回動可能に取り付けられている。尚、この鼻当支持部材２８は、図示しないスプリングで水平になるように上方にバネ付勢されている。
【００１６】
次に、このような構成のレンズメータの作用を説明する。
【００１７】
このような構成においては、レンズメータの図示しない電源がＯＮさせられると、演算制御回路２４はスイッチング素子２３のベースへの動作電圧のＯＮ・ＯＦＦをＣＣＤ駆動回路１９の動作に同期させて繰り返し実行する。この際、演算制御回路２４がスイッチング素子２３のベースに動作電圧を印加している間は、スイッチング素子２３がＯＮして、緑色ＬＥＤ１３がＯＦＦする。一方、演算制御回路２４がスイッチング素子２３のベースへの動作電圧の印加をＯＦＦしている間は、スイッチング素子２３がＯＦＦして、緑色ＬＥＤ１３がＯＮし、緑色ＬＥＤ１３から緑色の測定光束が出射される。
【００１８】
一方、演算制御回路２４は、レンズメータの図示しない電源がＯＮさせられると、眼鏡レンズ（被検レンズ）ＭＬ又はＭＲの測定を行っている状態の測定レンズ表示Ｌ又はＲを液晶表示器２に表示させる。
【００１９】
例えば、演算制御回路２４は、図１のようにスライド部材２７がレンズ受５の左にある場合、眼鏡レンズ（被検レンズ）ＭＬの測定を行っている状態の測定レンズ表示Ｌを図４の如く液晶表示器２に表示させる。
【００２０】
この際、演算制御回路２４は、図１のメガネＭの左右の眼鏡レンズ（被検レンズ）ＭＬの屈折特性（球面度数Ｓ，円柱度数Ｃ，軸角度Ａ）の表示と、左右の眼鏡レンズのプリズム量の表示Ｐ（Ｉ，Ｄ）と、図２の測定光学系Ｓの測定光軸Ｏを中心とする複数のアライメント用の同心円Ｓ１〜Ｓ６と、眼鏡レンズＭＬ又はＭＲの光学中心を表す十字状のターゲット像２９と、同心円Ｓ５，Ｓ６間に位置するターゲット合わせ用の点状マーク３０，３０等を液晶表示器２に表示させる。また、演算制御回路２４は、「ＴＲＮＳ」，「ＡＵＴＯ」Ｌ／Ｒ＆ＰＲＴ，「ＡＢＢＥ」ＬＯＷ，「０．２５」ＳＴＥＰ等の表示部３４Ｌを液晶表示器２に表示させる。尚、点状マーク３０，３０は１８０°の間隔をおいて表示されている。
【００２１】
同心円Ｓ１〜Ｓ６は円形の色付背景表示部３４内に表示され、測定レンズ表示Ｌは色付背景表示部３４の左上部に連設表示された小半円形状表示部３４ａ内に表示されている。また、表示部３４Ｌは、色付背景表示部３４の左下方に方形状に連設されている。
【００２２】
しかも、演算制御回路２４は、眼鏡レンズ（被検レンズ）ＭＬの測定時に左側の眼鏡レンズ（被検レンズ）ＭＬの屈折特性（球面度数Ｓ，円柱度数Ｃ，軸角度Ａ）の数値を求めて、この求めた左側の眼鏡レンズ（被検レンズ）ＭＬの屈折特性（球面度数Ｓ，円柱度数Ｃ，軸角度Ａ）を液晶表示器２に表示させるようになっているので、液晶表示器２の測定レンズ表示Ｌの表示及び左側の眼鏡レンズ（被検レンズ）ＭＬの屈折特性（球面度数Ｓ，円柱度数Ｃ，軸角度Ａ）の表示がアクティブになっている。この際、眼鏡レンズ（被検レンズ）ＭＬのプリズム量Ｐも眼鏡レンズＭＬの移動操作によりアクティブになっている。尚、屈折特性の表示はＳ，Ｃ，Ａの記号とこれらの右側方の数値（測定された値）をもって行われる。
【００２３】
従って、アクティブな測定レンズ表示Ｌの表示，左側の眼鏡レンズ（被検レンズ）ＭＬの屈折特性（球面度数Ｓ，円柱度数Ｃ，軸角度Ａ）の表示，眼鏡レンズＭＬの測定光軸Ｏに対するプリズム量Ｐ，ターゲット像２９，点状マーク３０，３０等を同一色で表示する。これ以外の表示は、ターゲット像２９の表示色と異なる色で表示する。
【００２４】
例えば、アクティブな測定レンズ表示Ｌの表示，左側の眼鏡レンズ（被検レンズ）ＭＬの屈折特性（球面度数Ｓ，円柱度数Ｃ，軸角度Ａ）の表示，眼鏡レンズＭＬの測定光軸Ｏに対するプリズム量Ｐ，ターゲット像２９，点状マーク３０，
３０等を青、緑、オレンジ等のいずれか一色で表示し、他の表示は黄色以外の色（例えば白）で表示する。この場合、例えば色付背景表示部３４及び表示部３４Ｌ，３４Ｒの背景色を黒とし、これらの外側の色を他の色、例えば紫色等にすることで、青、緑、オレンジ等の表示が目立つようにすると良い。このようにアクティブな表示は背景色に対して目立つ表示とすることで、より測定状態を確認しやすくなる。
【００２５】
ところで、上述のように緑色ＬＥＤ１３から出射された測定光束は、図２のピンホール板１４のピンホール１４ａを介してコリメータレンズ１５に導かれて、このコリメータレンズ１５により平行光束とされる。一方、コリメータレンズ１５からの測定光束はパターン板１６のパターンを透過し、この透過したパターンは結像レンズ１８によりＣＣＤ１１に結像される。
【００２６】
従って、メガネＭのブリッジＢを鼻当支持部材２８に支持させて、メガネＭをレンズテーブル２５の前面に当てると共に、眼鏡レンズＭＬをレンズ受５上に当接させると、コリメータレンズ１５で平行光束とされた測定光束は眼鏡レンズＭＬで屈折させられる。そして、この屈折させられた測定光束はパターン板１６のパターンを透過し、この透過したパターンは結像レンズ１８によりＣＣＤ１１に結像される。
【００２７】
このＣＣＤ１１に結像されたパターン像はＣＣＤ駆動回路１９によりパターン像信号として取り出されて、このパターン像信号は演算制御回路２４に入力される。
【００２８】
この演算制御回路２４は、入力されるパターン像信号から被検レンズＬの屈折特性（Ｓ，Ｃ，Ａ）及びプリズム量Ｐを求めて、この求めた屈折特性（Ｓ，Ｃ，Ａ）の数値を液晶表示器２に表示させると共に、プリズム量Ｐの数値、及びこのプリズム量Ｐから十字状のターゲット像２９を液晶表示器２に表示させる。
【００２９】
この状態で作業者は、ターゲット像２９の中心がアライメント用の中央の同心円Ｓ１内に入るように、レバー２６の前後回動操作及び眼鏡レンズＭＬの左右動操作をする。そして、この移動操作に伴い演算制御回路２４は、ターゲット像２９が中央の同心円Ｓ１に近づくに従って、点状マーク３０，３０が図４の斜め上下に位置している状態から図５の水平位置の方向に回転移動するように表示させる。
【００３０】
このターゲット像２９が図４の如く中央の同心円Ｓ１から離れている場合には、アクティブな測定レンズ表示Ｌの表示，左側の眼鏡レンズ（被検レンズ）ＭＬの屈折特性（球面度数Ｓ，円柱度数Ｃ，軸角度Ａ）の表示，眼鏡レンズＭＬの測定光軸Ｏに対するプリズム量Ｐ，ターゲット像２９，点状マーク３０，３０等レンズ情報を青色で表示し、他の表示は青色以外の色（例えば白）で表示する。
【００３１】
また、演算制御回路２４は、ターゲット像２９が図５の如く中央の同心円Ｓ１に入ると、中央の同心円Ｓ１の外側の同心円Ｓ２を４つの円弧状マーク３１ａ〜３１ｄに表示させる。この際、４つの円弧状マーク３１ａ〜３１ｄは太く且つ同一長さに表示されている。しかも、円弧状マーク３１ａ〜３１ｄの対向端部間には十字状マーク２９の縦線２９ａと横線２９ｂを合わせるための間隔３２，３２及び３３，３３が開けられている。
【００３２】
このターゲット像２９が図５の如く中央の同心円Ｓ１に入ると、アクティブな測定レンズ表示Ｌの表示，左側の眼鏡レンズ（被検レンズ）ＭＬの屈折特性（球面度数Ｓ，円柱度数Ｃ，軸角度Ａ）の表示，眼鏡レンズＭＬの測定光軸Ｏに対するプリズム量Ｐ，ターゲット像２９，点状マーク３０，３０等レンズ情報を緑色で表示し、他の表示は緑色以外の色（例えば白）で表示する。この表示の切り替えで、アクティブなレンズ情報が緑になるとアライメントＯＫとなることが容易に分かる。このとき得られる屈折特性（Ｓ，Ｃ，Ａ）の数値が測定値となる。
【００３３】
尚、この円弧状マーク３１ａ〜３１ｄもアクティブになっているので、円弧状マーク３１ａ〜３１ｄは上述したアクティブな測定レンズ表示Ｌの表示と同じ色で表示される。
【００３４】
従って、作業者は、十字状マーク２９の縦線２９ｂが上下の間隔３２，３２に一致し、且つ十字状マーク２９の横線２９ｂが左右の間隔３３，３３に一致するように眼鏡レンズＭＬを前後左右に移動させる。そして、十字状マーク２９の縦線２９ａが上下の間隔３２，３２に一致し、且つ十字状マーク２９の横線２９ｂが左右の間隔３３，３３に一致すると、図６に示したように点状マーク３０，３０が水平位置に移動すると共に、横線２９ａが左右の点状マーク３０，３０まで延びて表示される。この際、ターゲット像２９の中心と測定光軸Ｏは一致するので、プリズム量Ｐ（Ｉ，Ｄ）は「Ｉ：０．００」，「Ｄ：０．００」の表示となる。
【００３５】
そして、この図６のように十字状マーク２９の縦線２９ａが上下の間隔３２，３２に一致し、且つ十字状マーク２９の横線２９ｂが左右の間隔３３，３３に一致すると、アクティブな測定レンズ表示Ｌの表示，左側の眼鏡レンズ（被検レンズ）ＭＬの屈折特性（球面度数Ｓ，円柱度数Ｃ，軸角度Ａ）の表示，眼鏡レンズＭＬの測定光軸Ｏに対するプリズム量Ｐ，ターゲット像２９，点状マーク３０，３０等レンズ情報をオレンジ色で表示し、他の表示はオレンジ色以外の色（例えば白）で表示する。この表示の切り替えで、アクティブなレンズ情報がオレンジ色になるとマーキングＯＫとなることが容易に分かる。
【００３６】
同様にメガネＭの右側の眼鏡レンズＭＲを図１Ａの如くレンズ受５上に配設して、眼鏡レンズＭＲの屈折特性を測定する。この際、演算制御回路２４は、図７に示したように左右の眼鏡レンズＭＬ，ＭＲの屈折特性（Ｓ，Ｃ，Ａ）を液晶表示器２の左右の部分にそれぞれに表示させる。また、演算制御回路２４は、上述した表示に加えて色付背景表示部３４の右上部に小半円形状表示部３４ｂを表示させると共に、この小半円形状表示部３４ｂ内に右測定レンズ表示Ｒを表示させる。更に、演算制御回路２４は、色付背景表示部３４の右下に色付背景表示部３４Ｒを方形状に連設表示させる。
【００３７】
しかも、演算制御回路２４は、右側の眼鏡レンズＭＲの測定を行っているので、アクティブな測定レンズ表示Ｒの表示，右側の眼鏡レンズ（被検レンズ）ＭＲの屈折特性（球面度数Ｓ，円柱度数Ｃ，軸角度Ａ）の表示，眼鏡レンズＭＲの測定光軸Ｏに対するプリズム量Ｐ，ターゲット像２９，点状マーク３０，３０等を同一色で表示する。これ以外の表示、即ち左側の眼鏡レンズＭＬに関する表示等は、ターゲット像２９の表示色と異なる色で表示する。
【００３８】
例えば、アクティブな測定レンズ表示Ｒの表示，右側の眼鏡レンズ（被検レンズ）ＭＲの屈折特性（球面度数Ｓ，円柱度数Ｃ，軸角度Ａ）の表示，眼鏡レンズＭＲの測定光軸Ｏに対するプリズム量Ｐ，ターゲット像２９，点状マーク３０，３０等を黄色で表示し、他の表示は黄色以外の色（例えば白）で表示する。この場合、例えば背景色を淡いブルーとすることで、黄色の表示が目立つようにすると良い。このようにアクティブな表示は背景色に対して目立つ表示とすることで、より測定状態を確認しやすくなる。
＜累進レンズの測定時の表示＞
また、演算制御回路２４は、眼鏡レンズＭＬ，ＭＲが累進レンズか単レンズかを自動的に判別し、左右の眼鏡レンズＭＬ，ＭＲが累進レンズの場合には図８のような累進レンズ測定画面を液晶表示器２に表示させる。
【００３９】
この累進レンズ測定画面では、色付背景表示部３４内にレンズ形状４０が表示されている。しかも、このレンズ形状４０内には、境界線４１，４１及びこの境界線４１，４１により分けられた中央部側の使用領域４２と側方の不使用領域４３，４３が表示されている。そして、使用領域４２は、遠用部４４，累進部４５，近用部４６を有する。
【００４０】
しかも、演算制御回路２４は、眼鏡レンズＭＲが図１Ａのようにレンズ受５上にある場合、鼻当支持部材２８すなわちスライド部材２７の位置から、測定レンズ表示Ｒを液晶表示器２に表示させる。この際、演算制御回路２４は、プリズム量Ｐ（Ｏ，Ｕ）を液晶表示器２の右上に表示させると共に、「ＴＲＮＳ」，「ＡＵＴＯ」Ｌ／Ｒ＆ＰＲＴ，「ＡＢＢＥ」ＬＯＷ，「０．２５」ＳＴＥＰ等の表示部４７を液晶表示器２の右下に表示させる。更に、演算制御回路２４は、遠用アイポイントＥＰと測定光軸Ｏを表す十字状のターゲット像２９を遠用部４４に表示させる。
【００４１】
この状態から、レバー２６を手前側に倒して、眼鏡レンズＭＬを手前側に移動させることにより、累進部４５の加入度数ＡＤＤの部分の測定がなされる。この測定状態は演算制御回路２４によって液晶表示器２に表示される。即ち、液晶表示器２４は、眼鏡レンズＭＬの手前側への移動に伴い遠用部４４から累進部４５の部分に延びる色付表示部４８を近用部４６に向けて徐々に伸ばして表示させる。
【００４２】
このような測定に際して演算制御回路２４は、レンズ形状４０，測定レンズ表示Ｒ，プリズム量Ｐ，アイポイントＥＰ，ターゲット像２９，加入度数ＡＤＤ等のアクティブなレンズ情報の表示内容を同じ色（例えば黄色）で表示し、他の表示内容は他の色（例えば白）で表示させる。
【００４３】
この場合、例えば色付背景表示部３４及び表示部３４Ｌ，３４Ｒの背景色を黒とし、これらの外側の色を他の色、例えば紫色等にすることで、青、緑、オレンジ等の表示が目立つようにすると良い。このようにアクティブな表示は背景色に対して目立つ表示とすることで、より測定状態を確認しやすくなる。
【００４４】
また、加入度数は、遠用部４４から近用部４６に向かうに従って図９Ａの曲線ＡＤの如く急激に上昇して、近用部４６に至ったときに変化が少なくなる。従って、色付表示部４８を近用部４６に向けて徐々に伸ばして表示させる場合、加入度数の変化を図９Ｂに横バー４８ａ〜４８ｎで示したように段階的に延びるバー表示にすると良い。この場合、加入度数が大きくなるに従って横バー４８ａ〜４８ｎを段階的に積み上げるように表示させる。この際、色付表示部４８及び横バー４８ａは略青色で表示し、横バー４８ｂから４８ｎと積み上げ表示させるに従って積み上げられる横バーを青色から徐々に赤色に近づく色で表示させる。即ち、横バーは上のものほど赤色に近づくように表示される。そして、近用部４６の部分で横バー４８ｎを赤色で表示させる。このように横バー４８ｂ〜４８ｎの表示色を徐々に青色から赤色まで順に変化させることにより、近用部４６の位置や近用部４６の測定が終了したことが一目で分かる。
【００４５】
尚、横バー４８ａ〜４８ｎの表示は、加入度数が０．２５Ｄ（０．２５ディオプター）変化する毎に行われるようになっている。例えば、加入度が０Ｄ〜４Ｄの場合、０Ｄを青色で表示し、４Ｄ以上は赤色で表示し、０Ｄから４Ｄの間は青から赤に徐々に変化する色で順に表示する。即ち、０Ｄから４Ｄまでは、横バーを順に青，緑，黄緑，黄，オレンジ，赤で表示する。
【００４６】
ここで、例えば、０．２５Ｄごとの加入度数の変化が６段階しかない場合には横バーが４８ａから４８ｆの６つの表示となる。そして、この場合には、横バー４８ａが青色，横バー４8bが緑色，横バー４８ｃが黄緑，横バー４8ｄが黄色，横バー４８ｅがオレンジ色，横バー４8ｆが赤色となる。
【００４７】
尚、０．２５Ｄごとの加入度数の変化が６段階以上ある場合には、表示色は青，緑，黄緑，黄，オレンジ，赤等の間の中間色での表示も行う。この場合、最初の６段階は横バー４８ａ〜４８ｆを青，緑，黄緑，黄，オレンジ，赤で表示する。そして、この後に６段階を超えて加入度数が０．２５Ｄでの増加（変化）がある場合には、横バー４８ａ〜４８ｆの表示色を青，緑，黄緑，黄，オレンジ，赤等の中間色を用いて再表示する。この場合、例えば横バー４８ａは青と緑の中間色となり、横バー４８ｂは緑色となり、横バー４８ｃは緑と黄緑の中間色となる。
【００４８】
また、横バー４８ｂ〜４８ｎの色変化表示は加入度数が高くなるに従って赤色に近づくように表示させたが、累進量（加入度数の変化率）を用いて表示するようにすることもできる。即ち、図９Ａに示した単位距離ａあたりの加入度数の変化量ｂを累進量ｂ／ａとすると、このｂ／ａが小さくなるに従って横バー４８ｂ〜４８ｎの表示色を青色から徐々に赤色に近づく色で表示させるようにすることもできる。そして、ｂ／ａが殆ど変化しない位置では近用部４６となるので、この部分では横バーの色を赤色で表示させる。このような表示をさせることで、近用部４６が途中で切れる場合でも、近用部４６を容易に知ることができる。
【００４９】
この場合、累進部４５の初期の部分では加入度数の変化が小さく加入度数の曲線ＡＤの傾きが小さく、累進部４５の中間部分では加入度数の曲線ＡＤの傾きが大きく、近用部４６では加入度数の曲線ＡＤの傾きが小さくなる。従って、累進部４５の初期の部分では横バーの表示色が近用部４６と略同じ色の表示となる。即ち近用部４６の横バーの表示色は累進部４５の初期の部分の横バーの表示色に戻ることになる。従って、累進部４５の位置と遠用部４４及び近用部４６の位置を容易に確認できる。
【００５０】
また、このように累進部４５の初期の部分と近用部４６の部分が同じ色で判断がしにくい場合には、遠用部４４から累進部４５に進むときの曲線ＡＤの変曲点Ｐ１と累進部４５から近用部４６に進むときの曲線ＡＤの変曲点Ｐ２を求めて、この変曲点Ｐ１，Ｐ２を用いて変曲点Ｐ１以下の表示と変曲点Ｐ２以上の表示色を異ならせるように表示、即ち加入度数の変化に基づく表示色と同様に緑から赤に変化する色で表示させるようにしても良い。
【００５１】
尚、上述したレンズ情報の表示色の表示は演算制御回路２４により実行される。
[変形例１]
以上説明した実施例では、「アクティブな表示内容を同一色で表示すると共に、他の表示内容をアクティブな表示内容と異なる色で表示するような構成」をレンズメータに適用した例を示したが、この表示の構成は必ずしもレンズメータに限定されるものではない。
【００５２】
例えば、自覚式検眼装置のコントローラの液晶表示器に適用することもできる。図１０は図示しない自覚式検眼装置のコントローラの液晶表示器５０を示したものである。
【００５３】
この液晶表示器５０の中央には屈折特性値の内容を示す測定内容表示部５１が設けられ、この測定内容表示部５１の左右の部分には眼鏡処方のための屈折特性表示部Ｌｓ，Ｒｓが設けられている。
【００５４】
この測定内容表示部５１には、球面度数Ｓ，円柱度数Ｃ，軸角度Ａ，Δ，加入度数ＡＤＤが上から下側に向けてこの順に表示されている。
【００５５】
また、屈折特性表示部Ｌｓ，Ｒｓには、測定内容表示部５１の左右に位置させて数値表示部５２Ｌｓ，５２Ｒｓがそれぞれ設けられていると共に、検眼作業（測定作業）が行われているのを表示させる左表示窓枠５３Ｌｓ及び右表示窓枠５３Ｒｓがそれぞれ設けられている。尚、数値表示部５２Ｌｓ，５２Ｒｓには、上述したＳ，Ｃ，Ａ，Δ，ＡＤＤに対応して測定した数値が表示される。
【００５６】
更に、ＡＤＤの下方には、自覚式検眼装置の球面度数を増減操作するときに用いられるジョグダイヤル（図示せず）のダイヤル形状５４及び＋、−方向を示す矢印５５，５６が表示されている。しかも、ダイヤル形状５４内には現在測定中（検査中或いは設定中）の測定内容が表示される。
【００５７】
図１０では、球面度数Ｓの検査（設定）が行われていることを意味する「Ｓ」がダイヤル形状５４内に表示されている。このダイヤル形状５４内の「Ｓ」の表示色と測定内容表示部５１の「Ｓ」の表示色を同じにし、他の表示内容を「Ｓ」の表示色（例えば青色）とは異なる色（例えば白）で表示して、検査内容を見やすくしている。しかも、図１０では、左表示窓枠５３Ｌｓ内に表示がなされて、左眼に関連する何らかの測定作業（検査又は設定）が行われていることを表していると共に、右表示窓枠５３Ｒｓ内には何の表示もされていないので、右眼に関連する何らかの測定作業（検査又は設定）が行われていないことを表している。
【００５８】
尚、Ｃ，Ａ等の検査時にも上述と同様な表示を行わせる。このような表示は図示しないコントローラの演算制御回路によって実行される。
[変形例２]
レンズ研削加工装置（図示せず）の表示手段である液晶表示器を用いて、フレーム形状測定装置によるフレーム形状（レンズ枠の形状）の測定作業を表示することもできる。図１１はレンズ研削加工装置（図示せず）の液晶表示器６０を示したものである。
【００５９】
この液晶表示器６０の下部側の左右の部分にはメガネの左右のレンズ形状６１Ｌ，６１Ｒが表示され、液晶表示器６０の上部の中央の部分には内容表示部６２が設けられている。この内容表示部６２には、上からメガネの左右のレンズ枠の幾何学中心間距離「ＦＰＤ」，眼鏡装用者の瞳孔間距離「ＰＤ」，上寄せ量「ＵＰ」，「サイズ」等が順に表示されている。また、「ＦＰＤ」，「ＰＤ」，「ＵＰ」，「サイズ」の左右の部分には数値表示部６３Ｌ，６３Ｒが設けられている。この数値表示部６３Ｌ，６３Ｒには、「ＦＰＤ」，「ＰＤ」，「ＵＰ」，「サイズ」に対応してそれぞれの数値が表示される。この表示はレンズ研削加工装置（図示せず）の演算制御回路によって実行される。
【００６０】
また、この演算制御回路（図示せず）は、測定している側の「ＦＰＤ」，「ＰＤ」，「ＵＰ」，「サイズ」等の数値とレンズ形状を同じ表示色（例えば黄色）で表示させ、他の表示内容は別の表示色（例えば白色）で表示させるようになっている。
【００６１】
即ち、メガネの左側のレンズ枠（図示せず）の測定を行っている場合には、数値表示部６３Ｌの数値とレンズ形状６１Ｌを同じ表示色（例えば黄色）で表示させ、他の表示内容（数値表示部６３Ｒの数値とレンズ形状６１Ｒ）は別の表示色（例えば白色）で表示させるようになっている。また、逆にメガネの右側のレンズ枠（図示せず）の測定を行っている場合には、数値表示部６３Ｒの数値とレンズ形状６１Ｒを同じ表示色（例えば黄色）で表示させ、他の表示内容（数値表示部６３Ｌの数値とレンズ形状６１Ｌ）は別の表示色（例えば白色）で表示させるようになっている。
【００６２】
以上説明したように、この発明の実施の形態のレンズ情報測定装置は、メガネに関連する複数のレンズ情報を測定する測定部（測定光学系Ｓ，変形例１，２では図示せず）と、前記レンズ情報を表示させる表示手段（液晶表示器２，５０，６０）と、前記複数のレンズ情報を前記表示手段に同時に表示させる演算制御回路（２４，変形例１，２では図示せず）を備えている。しかも、前記演算制御回路（２４，変形例１，２では図示せず）は、前記複数のレンズ情報のうち、前記測定部（測定光学系Ｓ，変形例１，２では図示せず）により測定しているいくつかの前記レンズ情報を前記測定部（測定光学系Ｓ，変形例１，２では図示せず）により測定していない前記レンズ情報の色と異なる色で且つ同一色で表示させるようになっている。
【００６３】
この構成によれば、複数のレンズ情報の何れを測定しているのかを視覚的に容易に確認できる。
【００６４】
また、この発明の実施の形態のレンズ情報測定装置の前記演算制御回路（２４）は、前記測定部の測定光軸に対する被検レンズ（眼鏡レンズＭＬ，ＭＲ）の光学中心の位置を示すターゲット像（２９）を測定している前記レンズ情報として前記表示手段（液晶表示器２）に表示させると共に、前記被検レンズ（眼鏡レンズＭＬ，ＭＲ）の屈折特性を前記測定している前記レンズ情報として前記表示手段（液晶表示器２）に表示させるようになっている。
【００６５】
この構成によれば、ターゲット像２９が移動することで、測定作業中であることが容易に把握でき、この際に測定している側のレンズ情報の表示をターゲット像２９と同じにすることで、複数のレンズ情報の何れを測定しているのかを視覚的に容易に確認できる。
【図面の簡単な説明】
【００６６】
【図１】この発明に係るレンズメータの一例を示す概略斜視図である。
【図１Ａ】この発明に係るレンズメータの測定状態を示す概略斜視図である。
【図２】図１のレンズメータの光学系を示す説明図である。
【図３】図２の緑色ＬＥＤの制御回路図である。
【図４】図１の液晶表示器の表示例を示す説明図である。
【図５】図１の液晶表示器の他の表示例を示す説明図である。
【図６】図１の液晶表示器の他の表示例を示す説明図である。
【図７】図１の液晶表示器の他の表示例を示す説明図である。
【図８】図１の液晶表示器の他の表示例を示す説明図である。
【図９】図１の液晶表示器の他の表示例を示す説明図である。
【図９Ａ】累進レンズの加入度数の説明図である。
【図９Ｂ】図９Ａの加入度数を用いた累進レンズの測定結果の表示例を示す説明図である。
【図１０】自覚式検眼装置に用いるコントローラの表示画面の一例を示す説明図である。
【図１１】レンズ研削加工装置の表示画面をフレーム形状測定装置の形状測定画面として用いた例を示す説明図である。
【符号の説明】
【００６７】
２…液晶表示器（表示手段）
２４…演算制御回路
２９…ターゲット像
５０，６０…液晶表示器（表示手段）
ＭＬ，ＭＲ眼鏡レンズ（被検レンズ）
Ｓ…測定光学系（測定部）
【図１】
2006084341.tif 000003
【図１Ａ】
2006084341.tif 000004
【図２】
2006084341.tif 000005
【図３】
2006084341.tif 000006
【図４】
2006084341.tif 000007
【図５】
2006084341.tif 000008
【図６】
2006084341.tif 000009
【図７】
2006084341.tif 000010
【図８】
2006084341.tif 000011
【図９】
2006084341.tif 000012
【図９Ａ】
2006084341.tif 000013
【図９Ｂ】
2006084341.tif 000014
【図１０】
2006084341.tif 000015
【図１１】
2006084341.tif 000016